(57)【特許請求の範囲】
【請求項１】
画像出力装置であって、
前記画像出力装置は、ユーザの印刷要求を受け付ける画像処理装置を含み、
前記画像処理装置は、
複数の地域に、それぞれ適する、提示のための複数の提示情報を含む地域定義データと、画像データとを保持する記憶部と、
前記画像データに基づく画像を印刷するための印刷データを作成する印刷データ作成部と、を備え、
前記地域定義データは、さらに、各前記地域を特定するための複数の位置情報を含み、
前記画像出力装置は、さらに、
前記印刷データを用いて前記画像を印刷するプリンタを含み、
前記画像処理装置は、さらに、
前記画像出力装置の位置を検出する位置検出部と、
前記位置検出部により検出された位置である検出位置と前記地域定義データに含まれる前記複数の位置情報とに基づき、該検出位置により特定される地域である特定地域に適する提示情報を選択する選択部と、
前記選択部により選択された前記提示情報を表示する表示部と、を備える
画像出力装置。
【請求項２】
前記画像処理装置は、さらに、
画像データを記憶した記憶メディアから該画像データを読み出す画像読み出し部を備え、
前記記憶部が保持する前記画像データは、前記記憶メディアから前記画像読み出し部により読み出された画像データである
請求項１に記載の画像出力装置。
【請求項３】
前記選択部は、前記検出位置を示す位置情報が前記複数の位置情報のいずれかと一致する場合、一致する前記位置情報により特定される地域を前記特定地域とし、該特定地域に適する提示情報を選択する
請求項１または２に記載の画像出力装置。
【請求項４】
前記地域定義データは、さらに、前記複数の地域にそれぞれ適する複数の音声ガイダンスデータを含み、
前記選択部は、さらに、前記検出位置と前記地域定義データに含まれる前記複数の位置情報とに基づき、前記複数の音声ガイダンスデータのうち前記検出位置により特定される地域である特定地域に適する音声ガイダンスデータを選択する
請求項１〜３のいずれか１項に記載の画像出力装置。
【請求項５】
前記画像処理装置は、さらに、
音声を出力する音声出力部を備え、
前記音声出力部は、前記選択部により選択された前記音声ガイダンスデータに基づいた音声を出力する
請求項１〜４のいずれか１項に記載の画像出力装置。
【請求項６】
前記選択された音声ガイダンスデータは、前記特定地域に適した言語によるデータである
請求項５に記載の画像出力装置。
【請求項７】
前記地域定義データは、さらに、前記複数の地域にそれぞれ適する複数の画質調整データを含み、
各前記画質調整データは、前記プリンタが印刷する画像の画質を調整するためのデータであり、
前記選択部は、さらに、前記検出位置により特定される地域である特定地域が、前記複数の地域のいずれかである場合、前記複数の画質調整データのうち、該特定地域に適する画質調整データを選択し、
前記印刷データ作成部は、選択された前記画質調整データにしたがって画質を調整した画像を印刷するための前記印刷データを作成する
請求項１〜６のいずれか１項に記載の画像出力装置。
【請求項８】
前記地域定義データは、さらに、前記複数の地域にそれぞれ適する複数の料金設定データを含み、
各前記料金設定データは、地域に適した料金を示すデータであり、
前記選択部は、さらに、前記検出位置により特定される地域である特定地域が、前記複数の地域のいずれかである場合、前記複数の料金設定データのうち、前記特定地域に適する料金設定データを選択し、
前記画像処理装置は、さらに、
選択された前記料金設定データにしたがった料金を設定する料金設定部を備える
請求項１〜７のいずれか１項に記載の画像出力装置。
【請求項９】
前記画像処理装置は、外部のサーバと通信し、
前記画像処理装置は、さらに、
前記検出位置により特定される地域である特定地域が、前記複数の地域のいずれでもない場合、前記特定地域を含む複数の地域にそれぞれ適する複数の提示情報を含む他の前記地域定義データを、前記サーバから取得する取得部を備え、
前記選択部は、前記他の地域定義データに含まれる前記複数の提示情報のうち、前記特定地域に適する提示情報を選択する
請求項１〜８のいずれか１項に記載に記載の画像出力装置。
【請求項１０】
画像出力装置が行う画像出力方法であって、
前記画像出力装置は、ユーザの印刷要求を受け付ける画像処理装置を含み、
前記画像処理装置は、
複数の地域に、それぞれ適する、提示のための複数の提示情報を含む地域定義データと、画像データとを保持する記憶部と、
前記画像データに基づく画像を印刷するための印刷データを作成する印刷データ作成部と、を備え、
前記地域定義データは、さらに、各前記地域を特定するための複数の位置情報を含み、
前記画像出力装置は、さらに、
前記印刷データを用いて前記画像を印刷するプリンタを含み、
前記画像出力方法は、
前記画像出力装置の位置を検出するステップと、
前記位置を検出するステップにより検出された位置である検出位置と前記地域定義データに含まれる前記複数の位置情報とに基づき、該検出位置により特定される地域である特定地域に適する提示情報を選択するステップと、
選択された前記提示情報を表示するステップと、を含む
画像出力方法。
【発明の詳細な説明】
【技術分野】
【０００１】
本発明は、画像を印刷して出力する画像出力装置および画像出力方法に関する。
【背景技術】
【０００２】
従来、画像を記憶している記憶メディアから画像を読み出し、画像の編集や出力を行う画像出力装置がある。記憶メディアに記憶されている画像は、例えば、デジタルカメラ、携帯電話等で撮影された画像である。
【０００３】
近年では、写真店舗や街頭に加え家電量販店にも、当該画像出力装置が設置されている。特許文献１には、ユーザの操作性向上のため、ユーザの癖や利き手をユーザに選択させ、ユーザに適した画面表示や音声案内を行う画像出力装置が開示されている。
【先行技術文献】
【特許文献】
【０００４】
【特許文献１】特開２００４−２５２７１５号公報
【発明の概要】
【発明が解決しようとする課題】
【０００５】
しかしながら、特許文献１の画像出力装置では、ユーザに適した画面表示や音声案内を行うようにするには、ユーザの操作が必要である。
【０００６】
また、一般的に、画面表示や音声案内の変更といったシステムの保守作業は、画像出力装置の設置時に行われる。そのため、画像出力装置を多くの地域（日本、海外等）に多数設置する場合、システムの保守作業は非常に膨大となる。しかしながら、例えば、システムの保守作業量を軽減するために、従来の画像出力装置では、当該画像出力装置が利用される地域に適した情報を提示できない。
【０００７】
本発明は、このような問題を解決するためになされたものであり、画像出力装置が利用される地域に適した情報を提示することを可能とする画像出力装置等を提供することを目的とする。
【課題を解決するための手段】
【０００８】
上記目的を達成するために、本発明の一態様に係る画像出力装置は、ユーザの印刷要求を受け付ける画像処理装置を含み、前記画像処理装置は、複数の地域に、それぞれ適する、提示のための複数の提示情報を含む地域定義データと、画像データとを保持する記憶部と、前記画像データに基づく画像を印刷するための印刷データを作成する印刷データ作成部と、を備え、前記地域定義データは、さらに、各前記地域を特定するための複数の位置情報を含み、前記画像出力装置は、さらに、前記印刷データを用いて前記画像を印刷するプリンタを含み、前記画像処理装置は、さらに、前記画像出力装置の位置を検出する位置検出部と、前記位置検出部により検出された位置である検出位置と前記地域定義データに含まれる前記複数の位置情報とに基づき、該検出位置により特定される地域である特定地域に適する提示情報を選択する選択部と、前記選択部により選択された前記提示情報を表示する表示部と、を備える。
【発明の効果】
【０００９】
本発明によれば、位置検出部は、前記画像出力装置の位置を検出する。選択部は、位置検出部により検出された検出位置により特定される地域に適する提示情報を選択する。表示部は、選択された提示情報を表示する。
【００１０】
これにより、画像出力装置が利用される地域に適した情報を提示することができる。
【図面の簡単な説明】
【００１１】
【図１】本発明の実施の形態に係る画像出力装置のブロック図である。
【図２】地域定義データの一例を示す図である。
【図３】各地域に適する画像を示す図である。
【図４】位置利用設定処理のフローチャートである。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
図１は、本発明の実施の形態に係る画像出力装置１０００のブロック図である。
【００１４】
図１に示すように、画像出力装置１０００は、画像処理装置１００と、プリンタ２００−１，２００−２，・・・，２００−ｎとを含む。画像処理装置１００は、ユーザからの、画像のプリントの指示を受け付ける受付端末として機能する。すなわち、画像処理装置１００は、ユーザの印刷要求を受け付ける受付端末として機能する。
【００１５】
画像処理装置１００は、デジタルカメラやカメラ付携帯電話で撮影された画像データを取得し、画像処理装置１００において当該画像を表示し、当該画像をユーザーに選択させる。
【００１６】
画像処理装置１００には、プリンタ２００−１，２００−２，・・・，２００−ｎが接続される。なお、画像処理装置１００に接続されるプリンタは、１台であってもよい。
【００１７】
以下においては、プリンタ２００−１，２００−２，・・・，２００−ｎの各々を、単に、プリンタ２００とも表記する。プリンタ２００は、高解像度のカラープリンタである。プリンタ２００は、例えば、昇華型プリンタ、インクジェットプリンタ等である。
【００１８】
プリンタ２００−１，２００−２，・・・，２００−ｎは、それぞれ、写真１０−１，１０−２，・・・，１０−ｎを出力する。以下においては、写真１０−１，１０−２，・・・，１０−ｎの各々を、単に、写真１０とも表記する。
【００１９】
画像処理装置１００が取得した画像データは、プリンタ２００でプリントされる。これにより、写真１０を得ることができる。
【００２０】
画像処理装置１００は、画像読み出し部１０１と、表示部１０２と、音声出力部１０３と、課金部１０４と、位置検出部１１０と、選択部１２０と、記憶部１３０と、印刷データ作成部１４０と、送信部１５０と、通信部１６０とを備える。
【００２１】
画像読み出し部１０１は、画像データを記憶した記憶メディア２０から該画像データを読み出す。記憶メディア２０が記憶している画像データは、例えば、ユーザが、デジタルカメラやカメラ付携帯電話を用いて撮影した画像データである。
【００２２】
記憶メディア２０は、例えば、カードメディア、ＣＤ、ＤＶＤ、ＵＳＢメモリ等である。当該カードメディアは、デジタルカメラで使用されているＳＤカードやメモリースティック（登録商標）等である。
【００２３】
画像読み出し部１０１は、例えば、カードメディアからデータを読み出すカードリーダーである。なお、画像読み出し部１０１は、ＣＤ／ＤＶＤからデータを読み出すＣＤ／ＤＶＤドライブであってもよい。また、画像読み出し部１０１は、ＵＳＢメモリからデータを読み出すＵＳＢポートであってもよい。
【００２４】
また、画像読み出し部１０１は、赤外線通信により、携帯電話からデータを受信する赤外線通信装置であってもよい。また、画像読み出し部１０１は、Ｂｌｕｅｔｏｏｔｈ（登録商標）によりデータを受信するＢｌｕｅｔｏｏｔｈ（登録商標）装置であってもよい。また、画像読み出し部１０１は、Ｗｉ−Ｆｉ（登録商標）規格に従った無線通信により、スマートフォンとデータ通信を行う装置であってもよい。また、画像読み出し部１０１は、スマートフォンとケーブル等により直接接続されデータ通信を行う装置であってもよい。また、画像読み出し部１０１は、スキャナー装置であってもよい。
【００２５】
記憶部１３０は、データを保持（記憶）する。記憶部１３０は、例えば、ハードディスクなどの大容量記憶装置である。記憶部１３０は、画像読み出し部１０１が読み出した画像データを、画像データＤ１１として保持（記憶）する。すなわち、記憶部１３０が保持する画像データは、記憶メディア２０から画像読み出し部１０１により読み出された画像データである。また、記憶部１３０は、地域定義データＤ１２、後述の画質調整データＤ１３も保持する。
【００２６】
表示部１０２は、画像を表示する。表示部１０２は、例えば、画像読み出し部１０１が読み出した画像データに基づく画像を表示する。これにより、ユーザは、表示された画像を選択することができる。
【００２７】
音声出力部１０３は、音声を出力するスピーカである。音声出力部１０３は、例えば、ユーザがプリントしたい画像の選択をガイドするための音声を出力する。また、音声出力部１０３は、例えば、ユーザが、受付端末としての画像処理装置１００の操作を困惑することなく操作するための音声を出力する。また、音声出力部１０３は、例えば、プリント中のＢＧＭを出力する。また、音声出力部１０３は、例えば、画像処理装置１００が操作されていないときに、画面にスクリーンセーバーと共に通行人に端末の機能を告知するキャッチ音声を出力する。
【００２８】
課金部１０４は、ユーザが、画像処理装置１００において注文した写真のプリント料金を受け付ける。課金部１０４は、硬貨や紙幣を受け付ける。また、課金部１０４は、投入された硬貨や紙幣を保持する。また、課金部１０４は、当該課金部１０４に投入された金額に対して販売金額との差額の料金（つり銭）の返却などを行う。
【００２９】
位置検出部１１０は、詳細は後述するが、画像処理装置１００が設置された位置を検出する。例えば、位置の検出には、ＧＰＳ（Global Positioning System）、ＩＰアドレス等を用いた公知な位置測定方法が用いられる。
【００３０】
なお、位置の検出には、Ｗｉ−Ｆｉ（登録商標）基地局による位置測定などを使用して、画像処理装置１００の位置の座標をもとめ、その結果を出力してもよい。当該座標は、緯度および経度である。なお、当該座標は、取得された位置情報により画像処理装置１００の位置が特定できるものであれば、特に限定されない。
【００３１】
選択部１２０は、詳細は後述するが、画像処理装置１００が設置された位置（地域）に適切な各種データを選択する。選択部１２０は、例えば、記憶部１３０に格納されたプログラムに従って動作する。なお、選択部１２０は、ＣＰＵ、ＲＯＭ、ＲＡＭ等で構成されてもよい。
【００３２】
印刷データ作成部１４０は、詳細は後述するが、画像データに基づく画像を印刷するための印刷データを作成する。少し具体的には、印刷データ作成部１４０は、記憶部１３０に保持された画像データＤ１１を印刷用のデータに加工する。
【００３３】
送信部１５０は、印刷データ作成部１４０により作成された印刷データを、プリンタ２００へ送信する。
【００３４】
なお、画像処理装置１００は、送信部１５０を備えなくてもよい。この場合、印刷データ作成部１４０が、印刷データを、プリンタ２００へ送信する。
【００３５】
通信部１６０は、無線通信または有線通信により、外部のサーバ３００と通信する。すなわち、画像処理装置１００（画像出力装置１０００）は、外部のサーバ３００と通信する。サーバ３００は、複数種類の地域定義データを保持している。通信部１６０は、詳細は後述するが、例えば、地域定義データの取得や更新を行うために、サーバ３００と通信を行う。
【００３６】
図２は、地域定義データＤ１２の一例を示す図である。
【００３７】
地域定義データＤ１２は、複数の位置情報と、複数の音声ガイダンスデータと、複数の表示用画像データと、複数の画質調整データと、複数の料金設定データとを含む。
【００３８】
地域定義データＤ１２は、緯度、経度等の位置情報を元に、各地域で使用される言語(方言など)を分類する。日本および外国に対しても同様に分類される。
【００３９】
地域定義データＤ１２は、各地域と、複数の位置情報と、各音声ガイダンスデータと、各表示用画像データと、各画質調整データと、各料金設定データとを関連付ける。これにより、例えば、複数の位置情報は、各地域を特定するための情報である。
【００４０】
地域定義データＤ１２には、データの作成者の識別を容易にするため、国名と地域名が記載される。「国名」とは、国の名称である。「地域名」とは、地域の名称である。
【００４１】
例えば、日本の例で説明する。本実施の形態では、日本で使用されている言語のうち、標準語とされている東京弁を、日本の基準の言語とする。この基準の言語については、各国の首都で使用されている言語など、訛りがなく最も聞き取り易い言語に設定される。
【００４２】
この基準の言語とは、後述の処理において、位置情報を取得したにも関らず地域定義データに記載がない場合、位置情報が取得できない場合等に、適用される言語（設定）である。
【００４３】
位置情報は、各地域の緯度および経度を示す。東京には、北緯35.4度、東経139.46度の位置の東京都庁、北緯35.65度、東経139.71度の位置の品川区等がある。東京都庁、品川区等の位置情報には、音声ガイダンスデータTokyoが関連付けられている。音声ガイダンスデータTokyoは、東京弁の音声データである。音声ガイダンスデータTokyoは、記憶部１３０に記憶されている。
【００４４】
また、仙台には、北緯38.16度、東経140.52度の位置の仙台県庁等がある。仙台県庁等の位置情報には、音声ガイダンスデータSendaiが関連付けられている。音声ガイダンスデータSendaiは、東北弁の音声データである。同様に、大阪には、北緯34.41度、東経135.29度の位置の大阪府庁等がある。大阪府庁等の位置情報には、音声ガイダンスデータOsakaが関連付けられている。音声ガイダンスデータOsakaは、関西弁の音声データである。
【００４５】
なお、図２では、各１つの地域に複数の位置情報が関連付けられるとしたがこれに限定されない。例えば、位置情報は、当該位置情報に関連付けられる地域全体を示す緯度、経度の範囲を示すようにしてもよい。例えば、地域「東京」には、緯度（北緯35.40〜Ｘ（実数）度）、経度（東経139.46〜Ｙ（実数）度）を示す位置情報が関連付けられてもよい。この場合、各地域には、１つの位置情報が関連付けられる。
【００４６】
また、各データの関連付けは、図２に示す形式に限定するものではなく、関連付ける形であれば他の形式であっても良い。地域定義データにおけるデータの追加は、位置情報と音声ガイダンスデータ、表示用画像データ、画質調整データの追加により容易に行える。また、同様に海外の言語についても同様に分類される。これにより海外で地域特有の言語訛りにおいて、地域に適した音声ガイダンスが提供できる。
【００４７】
また、音声ガイダンスデータと同様に、表示用画像データと、画質調整データと、料金設定データも、各地域および各地域の位置情報と関連付けられている。詳細は後述するが、画像出力装置１０００の設置場所に応じて、表示用画像データや画質調整データの設定が行われる。
【００４８】
次に、表示用画像データ、音声ガイダンスデータについてさらに詳細に説明する。
【００４９】
表示用画像データは、表示部１０２が表示する画像、背景画像等のデータである。また、表示用画像データは、画像等の配色の情報等も示す。
【００５０】
前述したように、地域定義データＤ１２は、各地域と、複数の位置情報と、各音声ガイダンスデータと、各表示用画像データと、各画質調整データと、各料金設定データとを関連付ける。当該関連付けは、各地域に適する情報およびデータに対し行われる。
【００５１】
例えば、地域定義データＤ１２は、複数の地域に、それぞれ適する、複数の表示用画像データを含む。各表示用画像データは、表示部１０２が、提示のための提示情報を、画像により表示するためのデータである。すなわち、各表示用画像データは、提示のための提示情報を含む。言い換えれば、地域定義データＤ１２は、複数の地域に、それぞれ適する、複数の提示情報を含む。
【００５２】
地域「東京」には、日本語の標準語（東京弁）の文字列を利用した画像を示す表示用画像データTokyo_imageが関連付けられる。
【００５３】
表示用画像データTokyo_imageは、一例として、図３（ａ）のスタート画像Ｇ１０のデータである。スタート画像Ｇ１０は、ユーザが、写真プリントの選択を行うための画像（メニュー）である。
【００５４】
スタート画像Ｇ１０には、メッセージＧ１１と、ボタンＧ１２，Ｇ１３，Ｇ１４と、言語通知枠Ｇ１５とが配置される。
【００５５】
メッセージＧ１１は、ユーザに対し操作を指示するためのメッセージである。メッセージＧ１１は、「ご利用になるサービスを選択してください」という東京弁の文字列を示す。スタート画像Ｇ１０が示す東京弁の文字列は、提示のための提示情報である。すなわち、表示用画像データTokyo_imageは、地域「東京」に適する、提示のための提示情報を含む。
【００５６】
ボタンＧ１２，Ｇ１３，Ｇ１４の各々は、画像出力装置１０００が実施できるサービスを示す。ボタンＧ１２，Ｇ１３，Ｇ１４の各々は、押下されることにより、対応するサービスを実施するためのボタンである。
【００５７】
言語通知枠Ｇ１５は、画像出力装置１０００において設定されている言語に対応する国（地域）を示す。なお、設定されている言語は、スタート画像Ｇ１０が表示されたときに記憶部１３０に記憶されている地域定義データＤ１２に含まれる各種データ（例えば、表示用画像データ）を利用して、自由に変更できるとする。
【００５８】
ここで、例えば、画像出力装置１０００の設置場所が東京であり、画像出力装置１０００を使用するユーザが外国人であるとする。この場合、言語設定を変更して使用される。なお、画像出力装置１０００におけるサービス終了時には、位置情報により設定された言語に戻るものとする。
【００５９】
なお、スタート画像Ｇ１０の背景色およびメッセージＧ１１は、表示用画像データTokyo_imageの編集により変更可能である。
【００６０】
再び、図２を参照して、例えば、地域「大阪」には、日本語の（関西弁）の文字列を利用した画像を示す表示用画像データOsaka_imageが関連付けられる。
【００６１】
表示用画像データOsaka_imageは、一例として、図３（ｂ）のスタート画像Ｇ１０Ａのデータである。スタート画像Ｇ１０Ａは、スタート画像Ｇ１０と比較して、メッセージＧ１１の代わりにメッセージＧ１１Ａが配置されている点と、背景色が異なる点とが異なる。スタート画像Ｇ１０Ａのそれ以外の構成は、スタート画像Ｇ１０と同様なので詳細な説明は繰り返さない。
【００６２】
なお、スタート画像Ｇ１０Ａの背景色は、表示用画像データOsaka_imageにより設定された色である。
【００６３】
メッセージＧ１１Ａは、ユーザに対し操作を指示するためのメッセージである。メッセージＧ１１Ａは、「プリントしたいサービスを選んでや」という関西弁の文字列を示す。スタート画像Ｇ１１Ａが示す関西弁の文字列は、提示のための提示情報である。すなわち、表示用画像データOsaka_imageは、地域「大阪」に適する、提示のための提示情報を含む。
【００６４】
なお、スタート画像Ｇ１１Ａの背景色およびメッセージＧ１１Ａは、表示用画像データOsaka_imageの編集により変更可能である。
【００６５】
再び、図２を参照して、例えば、地域「アメリカ（シアトル）」には、英語の文字列を利用した画像を示す表示用画像データSeattle_imageが関連付けられる。
【００６６】
表示用画像データSeattle_imageは、一例として、図３（ｃ）のスタート画像Ｇ１０Ｂのデータである。スタート画像Ｇ１０Ｂは、スタート画像Ｇ１０と比較して、メッセージＧ１１の代わりにメッセージＧ１１Ｂが配置されている点と、ボタンＧ１２，Ｇ１３，Ｇ１４に表示される言語が異なる点と、背景色が異なる点とが異なる。スタート画像Ｇ１０Ｂのそれ以外の構成は、スタート画像Ｇ１０と同様なので詳細な説明は繰り返さない。
【００６７】
メッセージＧ１１Ｂは、ユーザに対し操作を指示するためのメッセージである。メッセージＧ１１Ｂは、「Choose Photo Print Service」という英語の文字列を示す。スタート画像Ｇ１１Ａが示す英語の文字列は、提示のための提示情報である。すなわち、表示用画像データSeattle_imageは、地域「アメリカ（シアトル）」に適する、提示のための提示情報を含む。
【００６８】
図３（ｃ）のボタンＧ１２，Ｇ１３，Ｇ１４には、図３（ａ）のボタンＧ１２，Ｇ１３，Ｇ１４に示される日本語の文字列を、英語で表現した文字列が示される。図３（ｃ）の言語通知枠Ｇ１５の情報も、英語で表現される。
【００６９】
なお、スタート画像Ｇ１１Ａの背景色およびメッセージＧ１１Ａは、表示用画像データSeattle_imageの編集により変更可能である。
【００７０】
再び、図２を参照して、地域定義データＤ１２は、複数の地域にそれぞれ適する複数の音声ガイダンスデータを含む。例えば、地域「東京」には、東京弁の音声データを示す音声ガイダンスデータTokyoが関連付けられる。音声ガイダンスデータTokyoは、一例として、「ご利用になるサービスを選択してください」という、東京弁の音声データである。すなわち、音声ガイダンスデータTokyoは、地域「東京」に適する音声データである。
【００７１】
また、地域「大阪」には、関西弁の音声データを示す音声ガイダンスデータOsakaが関連付けられる。音声ガイダンスデータOsakaは、一例として、「プリントしたいサービスを選んでや」という、関西弁の音声データである。すなわち、音声ガイダンスデータOsakaは、地域「大阪」に適する音声データである。
【００７２】
また、例えば、地域「アメリカ（シアトル）」には、英語の音声データを示す音声ガイダンスデータSeattleが関連付けられる。音声ガイダンスデータSeattleは、一例として、「Choose Photo Print Service」という、英語の音声データである。すなわち、音声ガイダンスデータSeattleは、地域「アメリカ（シアトル）」に適する音声データである。
【００７３】
次に、画像出力装置１０００が設置された位置に従って行われる処理（以下、位置利用設定処理ともいう）について説明する。
【００７４】
ここで、初期設定では、画像出力装置１０００は、図２の地域「東京」に関連付けられる、音声ガイダンスデータ、表示用画像データ、画質調整データおよび料金設定データを使用するように設定されている。当該設定の内容は、設定データに示されるとする。ここで、記憶部１３０には、地域「東京」をさらに示す当該設定データが記憶されているとする。なお、設定データは、必要に応じて更新される。
【００７５】
図４は、位置利用設定処理のフローチャートである。位置利用設定処理は、例えば、画像出力装置１０００の主電源が投入されたタイミングにおいて行われる。
【００７６】
ステップＳ１１０では、位置情報取得処理が行われる。
【００７７】
位置情報取得処理では、位置検出部１１０が、画像出力装置１０００の位置を検出する。以下においては、位置検出部１１０が検出した画像出力装置１０００の位置を、検出位置ともいう。検出位置は、例えば、緯度、経度等で示される位置である。
【００７８】
次に、位置検出部１１０は、検出位置を示す情報を、位置情報として取得する。当該位置情報は、例えば、緯度、経度を示す情報である。以下においては、位置情報取得処理において取得された位置情報を、取得位置情報ともいう。
【００７９】
ステップＳ１２０では、設置地域の変更があるか否かが判定される。具体的には、選択部１２０が、取得位置情報により特定される地域と、記憶部１３０に保持されている設定データが示す地域とが異なるか否かを判定する。
【００８０】
なお、設定データが、初期設定において設定されている「東京」以外の地域を示す場合は、後述の処理により設定データが更新された場合である。設定データが、「東京」以外の地域を示す場合、ステップＳ１２０では、取得位置情報により特定される地域と、画像出力装置１０００が前回起動したときの画像出力装置１０００の設置地域とが異なるか否かが判定される。
【００８１】
ステップＳ１２０において、ＹＥＳならば処理はステップＳ１３０に移行する。一方、ステップＳ１２０において、ＮＯならば処理はステップＳ１２１に移行する。
【００８２】
ステップＳ１２１では、画像出力装置１０００は、現在の設定で動作する。すなわち画像出力装置１０００は、記憶部１３０に記憶されている設定データにより特定される各種データを使用して動作する。
【００８３】
ステップＳ１３０では、取得位置情報と、記憶部１３０に保持されている地域定義データＤ１２とを照合する。少し具体的には、選択部１２０は、検出位置を示す取得位置情報が、地域定義データＤ１２が示す複数の位置情報のいずれかと一致するか否かを判定する。より具体的には、選択部１２０が、取得位置情報が示す検出位置により特定される地域を示す所望の地域定義データが存在するか否かが判定される。
【００８４】
所望の地域定義データが存在する場合（Ｓ１３１でＹＥＳ）、処理はステップＳ１３２に移行する。所望の地域定義データが存在しない場合（Ｓ１３１でＮＯ）、ステップＳ１４０に移行する。所望の地域定義データが存在しない場合は、検出位置により特定される地域である特定地域が、地域定義データＤ１２が示す複数の地域のいずれでもない場合である。
【００８５】
ここでは、所望の地域定義データが存在するとして、ステップＳ１３２に移行する。
【００８６】
ステップＳ１３２では、データ選択処理が行われる。データ選択処理では、選択部１２０が、所望の地域定義データが示す複数の地域のうち、検出位置により特定される地域に関連付けられた音声ガイダンスデータ、表示用画像データ、画質調整データ、料金設定データを選択する。
【００８７】
すなわち、ステップＳ１２０，Ｓ１３０，Ｓ１３１，Ｓ１３２の処理により、選択部１２０は、検出位置を示す位置情報が、地域定義データＤ１２が示す複数の位置情報のいずれかと一致する場合、一致する位置情報により特定される地域を特定地域とし、該特定地域に適する提示情報（表示用画像データ）を選択する。言い換えれば、選択部１２０は、検出位置と地域定義データに含まれる複数の位置情報とに基づき、検出位置により特定される地域である特定地域に適する提示情報（表示用画像データ）を選択する。簡単に言えば、選択部１２０は、少なくとも地域定義データＤ１２に含まれる複数の提示情報のうち、検出位置により特定される地域に適する提示情報（表示用画像データ）を選択する。
【００８８】
また、ステップＳ１２０，Ｓ１３０，Ｓ１３１，Ｓ１３２の処理により、選択部１２０は、検出位置と地域定義データに含まれる複数の位置情報とに基づき、複数の音声ガイダンスデータのうち検出位置により特定される地域である特定地域に適する音声ガイダンスデータを選択する。
【００８９】
すなわち、画像出力装置１０００は、当該画像出力装置１０００の設置位置を検出し、最適な各種データを選択する。また、画像出力装置１０００は、位置情報により、表示用画像データや音声ガイダンスデータを自動で選択することができる。
【００９０】
データ選択処理では、さらに、選択部１２０は、記憶部１３０に記憶されている設定データに、当該選択した各種データを画像出力装置１０００が使用するための設定内容を上書きする。また、選択部１２０は、設定データに、特定地域（例えば、大阪）を記述する。これにより、設定データが更新される。
【００９１】
そして、選択部１２０は、選択した音声ガイダンスデータ、表示用画像データおよび料金設定データを、それぞれ、音声出力部１０３、表示部１０２および課金部１０４へ送信する。また、選択部１２０は、選択した画質調整データを、画質調整データＤ１３として記憶部１３０に記憶させる。
【００９２】
なお、選択部１２０は、既に、画質調整データＤ１３が記憶部１３０に記憶されている場合、選択した画質調整データを、新たな画質調整データＤ１３として記憶部１３０に記憶させる。これにより、画質調整データＤ１３は更新される。
【００９３】
ステップＳ１３３では、選択データ利用処理が行われる。選択データ利用処理では、詳細は後述するが、画像出力装置１０００が、データ選択処理により選択された各種データを使用する処理が行われる。以上により、位置利用設定処理が終了する。
【００９４】
ここで、一例として、東京に画像出力装置１０００が設置されているとする。この場合、取得位置情報が示す検出位置により特定される地域は、東京である。この場合、前述のステップＳ１１０〜Ｓ１２０の処理の後、ステップＳ１２１の処理が行われる。
【００９５】
東京に画像出力装置１０００が設置されている場合、ステップＳ１２１の処理において以下の処理が行われる。
【００９６】
まず、前述のデータ選択処理が行われる。このデータ選択処理により、ステップＳ１２１において、現在の設定データに基づいて動作する画像出力装置１０００が使用するデータは、音声ガイダンスデータTokyo、表示用画像データTokyo_image、画質調整データTokyo_printおよび料金設定データTokyo_PriceListである。
【００９７】
次に、表示部１０２は、表示用画像データTokyo_imageを使用して、図３（ａ）のスタート画像Ｇ１０を表示する。スタート画像Ｇ１０は、前述したように、提示情報としてのメッセージＧ１１を示す。すなわち、表示部１０２は、選択部１２０により選択された提示情報（メッセージＧ１１等）を表示する。メッセージＧ１１は、東京弁の文字列である。すなわち、地域「東京」に適したメッセージが表示される。
【００９８】
以上により、位置情報により、表示される画像を自動で切り替えることができる。すなわち、画像出力装置１０００が設置される地域に応じて、表示を切り替えることができる。
【００９９】
また、スタート画像Ｇ１０の表示に伴い、音声出力部１０３は、音声ガイダンスデータTokyoを使用して、「ご利用になるサービスを選択してください」という、地域「東京」に適した東京弁の音声を出力する。すなわち、音声出力部１０３は、選択部１２０により選択された音声ガイダンスデータに基づいた音声を出力する。当該選択された音声ガイダンスデータは、検出位置により特定される特定地域に適した言語によるデータである。
【０１００】
以上により、位置情報により、出力される音声を自動で切り替えることができる。すなわち、画像出力装置１０００が設置される地域に応じて、出力される音声を自動で切り替えることができる。
【０１０１】
ここで、他の一例として、大阪に画像出力装置１０００が設置されているとする。この場合、取得位置情報が示す検出位置により特定される地域は、大阪である。この場合、前述のステップＳ１１０，Ｓ１２０，Ｓ１３０，Ｓ１３１，Ｓ１３２の処理により、最新の設定データに基づいて動作する画像出力装置１０００が使用するデータは、音声ガイダンスデータOsaka、表示用画像データOsaka_image、画質調整データOsaka_printおよび料金設定データOsaka_PriceListである。
【０１０２】
大阪に画像出力装置１０００が設置されている場合、ステップＳ１１０，Ｓ１２０，Ｓ１３０，Ｓ１３１，Ｓ１３２の処理の終了後、ステップＳ１３３の選択データ利用処理において以下の処理が行われる。
【０１０３】
表示部１０２は、表示用画像データOsaka_imageを使用して、図３（ｂ）のスタート画像Ｇ１０Ａを表示する。スタート画像Ｇ１０Ａは、前述したように、提示情報としてのメッセージＧ１１Ａを示す。すなわち、表示部１０２は、選択部１２０により選択された提示情報（メッセージＧ１１Ａ等）を表示する。メッセージＧ１１Ａは、関西弁の文字列である。すなわち、地域「大阪」に適したメッセージが表示される。
【０１０４】
以上により、位置情報により、表示される画像を自動で切り替えることができる。すなわち、画像出力装置１０００が設置される地域に応じて、表示を切り替えることができる。
【０１０５】
また、スタート画像Ｇ１０Ａの表示に伴い、音声出力部１０３は、音声ガイダンスデータOsakaを使用して、「プリントしたいサービスを選んでや」という、地域「大阪」に適した関西弁の音声を出力する。すなわち、音声出力部１０３は、選択部１２０により選択された音声ガイダンスデータに基づいた音声を出力する。当該選択された音声ガイダンスデータは、検出位置により特定される特定地域に適した言語によるデータである。
【０１０６】
以上により、位置情報により、出力される音声を自動で切り替えることができる。すなわち、画像出力装置１０００が設置される地域に応じて、出力される音声を自動で切り替えることができる。
【０１０７】
ここで、他の一例として、アメリカのシアトルに画像出力装置１０００が設置されているとする。この場合、取得位置情報が示す検出位置により特定される地域は、シアトルである。この場合、前述のステップＳ１１０，Ｓ１２０，Ｓ１３０，Ｓ１３１，Ｓ１３２の処理により、最新の設定データに基づいて動作する画像出力装置１０００が使用するデータは、音声ガイダンスデータSeattle、表示用画像データSeattle_image、画質調整データSeattle_printおよび料金設定データSeattle_PriceListである。
【０１０８】
シアトルに画像出力装置１０００が設置されている場合、ステップＳ１１０，Ｓ１２０，Ｓ１３０，Ｓ１３１，Ｓ１３２の処理の終了後、ステップＳ１３３の選択データ利用処理において以下の処理が行われる。
【０１０９】
表示部１０２は、表示用画像データSeattle_imageを使用して、図３（ｃ）のスタート画像Ｇ１０Ｂを表示する。スタート画像Ｇ１０Ｂは、前述したように、提示情報としてのメッセージＧ１１Ｂを示す。メッセージＧ１１Ｂは、英語の文字列である。すなわち、地域「アメリカ（シアトル）」に適したメッセージが表示される。
【０１１０】
また、スタート画像Ｇ１０Ｂの表示に伴い、音声出力部１０３は、音声ガイダンスデータSeattleを使用して、地域「アメリカ（シアトル）」に適した英語の音声を出力する。
【０１１１】
なお、上記の方法による、画像表示や音声ガイダンスは、スタート画像のみならず、画像出力装置１０００の画像処理装置１００が表示する全ての操作画像で変更可能とする。
【０１１２】
以上のように、位置情報に基づいた言語環境で、画像出力装置１０００における画像の表示や、音声ガイダンスが行われる。すなわち、位置情報に応じた画像の表示や音声ガイダンスが、ユーザによる設定なしで変更される。言い換えれば、画像出力装置１０００は、画像出力装置１０００が操作される場所によって、ユーザによる設定なしで、ユーザに最適な画像の表示や音声案内を行うことができる。つまり、画像出力装置１０００は、ユーザの設定なしで、画像出力装置１０００の設置環境に適した画像の表示や音声ガンダンスを行うことができる。
【０１１３】
そのため、本実施の形態に係る画像出力装置１０００は、当該画像出力装置１０００が利用される地域に適した情報を提示することができる。また、ユーザによる、言語設定や画像の表示の切り替えを行う手間を解消することができる。
【０１１４】
また、画像出力装置１０００が設置された場所（地域）に適応した言語設定が自動で行われる。ここで、日本国内では、標準イントネーションや東北イントネーション、関西イントネーションなどといった地域特有のイントネーションがある。
【０１１５】
画像出力装置１０００は、上記処理により、地域特有のイントネーションを、音声ガイダンスに反映させることができる。そのため、画像出力装置１０００は、音声ガイダンスをその地域の住民にとって馴染みやすくすることができると共に、その地域の言語の特色性を表現できる。
【０１１６】
また、画像出力装置１０００は、英語、フランス語、中国語など異なる言語にも対応でき、各地域における訛りも音声ガイダンスに反映することができる。その結果、画像出力装置１０００は、ユーザにとって親近感の湧く端末となる。
【０１１７】
また、メーカーやユーザが、設置場所（地域）に合わせて、画像出力装置１０００の初期設定（設定変更）を、ユーザ等が行う必要がなく、利便性が向上する。
【０１１８】
次に、上記位置利用設定処理において、所望の地域定義データが存在しない場合（Ｓ１３１でＮＯ）における処理について説明する。
【０１１９】
ステップＳ１４０では、通信部１６０が、サーバ３００と通信可能であるか否かを判定する。
【０１２０】
サーバ３００と通信可能でない場合（Ｓ１４０でＮＯ）、画像出力装置１０００は、初期設定で動作する（Ｓ１５１）。ここでサーバ３００との通信が不能な場合は、通信部１６０に何らかの故障が発生している場合、電波環境が良好でない場合等である。
【０１２１】
初期設定での動作について、具体的には、画像出力装置１０００は、前述の初期設定において設定された設定データに示される各種データを使用して動作する。初期設定において設定された設定データは、「東京」に関連付けられた各種データを示す。
【０１２２】
なお、設定データにおいて、初期設定において設定された内容が更新されている場合は、画像出力装置１０００は、当該設定データの内容を、初期設定において設定された内容に戻す。そして、画像出力装置１０００は、初期設定で動作する。
【０１２３】
サーバ３００と通信可能である場合（Ｓ１４０でＹＥＳ）、ステップＳ１４１の処理が行われる。
【０１２４】
ステップＳ１４１では、通信部１６０が、サーバ３００に対し、サーバ３００が前述の検出位置により特定される特定地域を示す所望の地域定義データを有するかの問い合わせを行う。
【０１２５】
ステップＳ１４２では、所望の地域定義データが存在するか否かが判定される。具体的には、通信部１６０が、上記問い合わせによりサーバ３００から受信した回答が、特定地域を示す所望の地域定義データを有する旨の回答であるか否かを判定する。
【０１２６】
ステップＳ１４２において、ＹＥＳならば処理はステップＳ１４３に移行する。一方、ステップＳ１４２において、ＮＯならば処理はステップＳ１５１に移行する。ステップＳ１５１では、前述したように、画像出力装置１０００は、初期設定で動作する。
【０１２７】
ステップＳ１４３では、所望の地域定義データが取得される。具体的には、通信部１６０が、サーバ３００から、所望の地域定義データをダウンロードする。次に、通信部１６０は、記憶部１３０に記憶されている地域定義データＤ１２を、取得した所望の地域定義データに置き換えることにより、地域定義データＤ１２を更新する。
【０１２８】
また、通信部１６０は、設定データに、更新後の地域定義データＤ１２において特定地域に対応する各種データを画像出力装置１０００が使用するための設定内容を上書きする。また、通信部１６０は、設定データに、特定地域（例えば、大阪）を記述する。これにより、設定データが更新される。
【０１２９】
ステップＳ１３１でＮＯであり、ステップＳ１４０〜Ｓ１４３の処理が行われることにより、通信部１６０は、以下の処理を行う。
【０１３０】
当該処理では、通信部１６０は、検出位置により特定される地域である特定地域が、地域定義データＤ１２が示す複数の地域のいずれでもない場合、特定地域を含む複数の地域にそれぞれ適する複数の提示情報（例えば、表示用画像データ）を含む他の地域定義データを、サーバ３００から取得する。すなわち、通信部１６０は、サーバ３００から他の地域定義データを取得する取得部である。
【０１３１】
ステップＳ１４４では、画像出力装置１０００が、取得した地域定義データを用いた設定で動作する。具体的には、画像出力装置１０００が、記憶部１３０に記憶されている最新の設定データにより特定される各種データを使用して動作する。
【０１３２】
例えば、選択部１２０は、取得した他の地域定義データに含まれる複数の提示情報（表示用画像データ）のうち、特定地域に適する提示情報（表示用画像データ）を選択する。
【０１３３】
そして、表示部１０２は、選択された提示情報（表示用画像データ）を表示する。
【０１３４】
なお、音声ガイダンスデータ、画質調整データおよび料金設定データも、表示用画像データと同様に選択される。
【０１３５】
次に、画像出力装置１０００が、地域に適した画質の画像を印刷するための処理について説明する。
【０１３６】
画像出力装置１０００において、印刷データ作成部１４０は、受付端末である画像処理装置１００が、記憶メディア２０から読み出した画像データＤ１１を用いて印刷データを作成する。画像処理装置１００に接続された複数台のプリンタ２００は、印刷データを用いて、プリント用紙等に画像を印刷した写真１０を出力する。
【０１３７】
印刷データは、例えば、プリントサイズ、画像サイズの変更、プリント用紙における配置位置等を示す。例えば、図３の「Ｌサイズプリント」というサービスが選択された場合、印刷データは、Ｌサイズプリントに対応した画像サイズの変更等を示す。
【０１３８】
また、「証明写真プリント」というサービスが選択された場合、印刷データは、証明写真プリントに対応した、画像サイズの変更およびプリント用紙における配置位置等を示す。
【０１３９】
また、「インデックスプリント」というサービスが選択された場合、印刷データは、インデックスプリントに対応した、画像サイズの変更およびプリント用紙における配置位置等を示す。
【０１４０】
印刷データの作成のために、まず、印刷データ作成部１４０は、記憶部１３０に保持された画像データＤ１１と画質調整データＤ１３とを参照する。画質調整データＤ１３は、プリンタ２００により印刷される画像の画質（色味、質感等）を調整するためのデータである。すなわち、画質調整データＤ１３は、印刷された画像を示す写真の仕上がりを調整するデータである。
【０１４１】
画質調整データＤ１３が示す調整内容としては、写真が示す画像の色味、光沢感、マット感等である。
【０１４２】
印刷データ作成部１４０は、前述のステップＳ１２１，Ｓ１３３，Ｓ１５１のいずれかにおいて、選択された画質調整データにしたがって画質を調整した画像を印刷するための印刷データを作成する。具体的には、印刷データ作成部１４０は、画質調整データＤ１３にしたがって、画像データＤ１１が示す画像の画質の調整を行う。当該画質の調整は、例えば、色調整である。次に、印刷データ作成部１４０は、画質を調整した画像を印刷するための印刷データを作成する。
【０１４３】
そして、送信部１５０は、作成された印刷データを、プリンタ２００へ送信する。プリンタ２００は、印刷データを用いて画像をプリント用紙等に印刷する。これにより、プリンタ２００は、画像が印刷された写真１０を出力する。
【０１４４】
本実施の形態では、図４の位置利用設定処理において、位置検出部１１０が取得した位置情報を利用して選択された画質調整データを用いて、地域に適した（応じた）印刷画質の調整を行う。
【０１４５】
ここで、図２を用いて、画質調整データについてさらに説明する。
【０１４６】
前述したように、地域定義データＤ１２は、各地域と、複数の位置情報と、各音声ガイダンスデータと、各表示用画像データと、各画質調整データと、各料金設定データとを関連付ける。当該関連付けは、各地域に適する情報およびデータに対し行われる。
【０１４７】
例えば、地域定義データＤ１２は、複数の地域にそれぞれ適する複数の画質調整データを含む。各画質調整データは、プリンタ２００が印刷する画像の画質を調整するためのデータであり、なお、例えば、前述のステップＳ１２０，Ｓ１３０，Ｓ１３１，Ｓ１３２の処理により、選択部１２０は、検出位置により特定される地域である特定地域が、当該複数の地域のいずれかである場合、当該複数の画質調整データのうち、当該特定地域に適する画質調整データを選択する。
【０１４８】
図２において、例えば、地域「東京」には、東京で好まれる画質の画像を示す写真を生成するための画質調整データTokyo_printが関連付けられる。また、地域「大阪」には、大阪で好まれる画質の画像を示す写真を生成するための画質調整データOsaka_printが関連付けられる。
【０１４９】
例えば、東京や大阪では、光沢のある画像の写真が好まれるとする。この場合、図２に示す、「東京」および「大阪」に、それぞれ関連付けられる画質調整データTokyo_print，Osaka_printを、光沢感のある画像に調整するためのデータとなるようにしておく。
【０１５０】
これにより、画質調整データTokyo_printは、地域「東京」に適する画質調整データである。また、画質調整データOsaka_printは、地域「大阪」に適する画質調整データである。
【０１５１】
また、海外のスペインなどでは、例えば、光沢感を抑えたマット感が強い画像の写真が望まれる。この場合、「マドリード」や「バルセロナ」に、それぞれ関連付けられる画質調整データMadrid_print，Barcelna_printを、マット感が強い画像に調整するためのデータとなるようにしておく。
【０１５２】
以上のように設定された複数の画質調整データのうち、選択部１２０は、画像出力装置１０００の設置位置（検出位置）により特定される地域に応じた画質調整データを選択する。そして、例えば、ステップＳ１３３の選択データ利用処理では、印刷データ作成部１４０は、選択された画質調整データにしたがって画質を調整した画像を印刷するための印刷データを作成する。そして、プリンタ２００は、作成された印刷データを用いて画像をプリント用紙等に印刷する。これにより、プリンタ２００は、画像が印刷された写真１０を出力する。すなわち、選択された画質調整データを利用してプリンタ２００により画像が印刷される。
【０１５３】
これにより、地域毎に異なる色味や質感のプリントを得ることができる。すなわち、画像出力装置１０００が設置された地域に適した、ユーザに好感を得る画質調整を行うことができる。言い換えれば、画像出力装置１０００は、ユーザの設定なしで、画像出力装置１０００が設置される地域で好まれる色味（色合い）や質感の画像を示す写真を提供できる。これにより、メーカーやユーザの手を煩わせることなく、地域に適した様々な色合いや質感の写真プリントを自動で実施することができる。
【０１５４】
なお、上記の画質の調整は、位置検出部１１０が取得した位置情報でのみ実施可能とする。すなわち、例えば、図３（ａ）のスタート画像Ｇ１０が表示されている場合における言語の変更の操作等では、画質の調整はできないものとする。
【０１５５】
次に、画像出力装置１０００が設置された地域に適した料金（販売金額）の設定を行うための処理について説明する。料金設定の例としては、通貨の単位、写真１枚当たりの単価（料金）、割引率などが挙げられる。
【０１５６】
料金の設定（変更）は、図４の位置利用設定処理において、位置検出部１１０が取得した位置情報を利用して選択された料金設定データを用いて行われる。料金設定データは、写真の販売金額、地域に適した通貨単位等を示すデータである。これにより、メーカーやユーザの手を煩わせることなく、地域に適した通貨単位への変更や料金設定ができる。
【０１５７】
ここで、図２を用いて、料金設定データについて説明する。
【０１５８】
前述したように、地域定義データＤ１２は、各地域と、複数の位置情報と、各音声ガイダンスデータと、各表示用画像データと、各画質調整データと、各料金設定データとを関連付ける。当該関連付けは、各地域に適する情報およびデータに対し行われる。
【０１５９】
例えば、地域定義データＤ１２は、複数の地域にそれぞれ適する複数の料金設定データを含む。各料金設定データは、地域に適した料金を示すデータである。なお、例えば、前述のステップＳ１２０，Ｓ１３０，Ｓ１３１，Ｓ１３２の処理により、選択部１２０は、検出位置により特定される地域である特定地域が、当該複数の地域のいずれかである場合、当該複数の料金設定データのうち、当該特定地域に適する料金設定データを選択する。前述したように、選択部１２０は、選択した料金設定データを、課金部１０４へ送信する。
【０１６０】
そして、例えば、ステップＳ１３３の選択データ利用処理において、課金部１０４は、選択された料金設定データにしたがった料金を設定する。すなわち、課金部１０４は、料金を設定する料金設定部である。課金部１０４が設定した料金は、例えば、ユーザが、画像処理装置１００を利用して写真を注文する際に、表示部１０２により表示される。
【０１６１】
図２において、例えば、地域「東京」には、東京における写真の販売金額等を示す料金設定データTokyo_PriceListが関連付けられる。また、地域「仙台」には、仙台における写真の販売金額等を示す料金設定データSendai_PriceListが関連付けられる。
【０１６２】
例えば、東京および仙台において、１枚の写真の販売金額を３０円に設定するとする。この場合、図２に示す、「東京」および「仙台」に、それぞれ関連付けられる料金設定データTokyo_PriceList，Sendai_PriceListを、１枚の写真の販売金額が３０円を示すデータに設定する。
【０１６３】
これにより、料金設定データTokyo_PriceListは、地域「東京」に適する料金設定データである。また、料金設定データSendai_PriceListは、地域「仙台」に適する料金設定データである。
【０１６４】
また、大阪において、１枚の写真の販売金額を２０円に設定し、かつ、プリント枚数に応じて割引率を変化させるとする。この場合、「大阪」に関連付けられる料金設定データOsaka_PriceListを、以下の料金情報を示すデータに設定する。当該料金情報は、１枚の写真の販売金額が２０円であり、プリント枚数が５０枚までは割引なし、プリント枚数が５０枚以上は、１枚の写真の販売金額が１５円であるという情報である。
【０１６５】
以上のように設定された複数の料金設定データのうち、選択部１２０は、画像出力装置１０００の設置位置（検出位置）により特定される地域に応じた料金設定データを選択する。そして、課金部１０４は、選択された料金設定データにしたがった料金（販売金額）を設定する。すなわち、画像出力装置１０００は、地域毎に異なる料金設定を行う。
【０１６６】
これにより、また、画像出力装置１０００が設置された地域に適した料金設定を自動で行うことができる。すなわち、画像出力装置１０００は、写真販売（プリント）の料金設定を、メーカーやユーザの手を煩わせることなく、自動で行うことができる。
【０１６７】
また、上記処理によれば、画像出力装置１０００は、位置情報に基づいた通貨や販売金額で写真を販売することができる。そのため、画像出力装置１０００の設置場所に合わせて金額の設定変更を行う必要がなくなる。したがって、メーカーやユーザの利便性が向上する。
【０１６８】
なお、上記の料金の設定は、位置検出部１１０が取得した位置情報でのみ変更可能とする。すなわち、例えば、図３（ａ）のスタート画像Ｇ１０が表示されている場合における言語の変更の操作等では、料金設定の変更はできないものとする。
【０１６９】
なお、記憶部１３０に記憶されている、音声ガイダンスデータ、表示用画像データ、画質調整データ、料金設定データは、通信部１６０を用いて更新されてもよい。また、随時地域を追加した地域定義データを、記憶部１３０に記憶するようにしてもよい。
【０１７０】
（その他の変形例）
以上、本発明に係る画像出力装置１０００について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１７１】
例えば、画像出力装置１０００は、図１に示される全ての構成要素を含まなくてもよい。すなわち、画像出力装置１０００は、本発明の効果を実現できる最小限の構成要素のみを含めばよい。例えば、画像出力装置１０００は、記憶部１３０、印刷データ作成部１４０、プリンタ２００、位置検出部１１０、選択部１２０および表示部１０２のみを含む構成であってもよい。
【０１７２】
また、本発明は、画像出力装置１０００が備える特徴的な構成部の動作をステップとする画像出力方法として実現してもよい。また、本発明は、そのような画像出力方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１７３】
上記実施の形態で用いた全ての数値は、本発明を具体的に説明するための一例の数値である。すなわち、本発明は、上記実施の形態で用いた各数値に制限されない。
【０１７４】
また、本発明に係る画像出力方法は、図４の位置利用設定処理に相当する。本発明に係る画像出力方法は、図４における、対応する全てのステップを必ずしも含む必要はない。すなわち、本発明に係る画像出力方法は、本発明の効果を実現できる最小限のステップのみを含めばよい。例えば、本発明に係る画像出力方法は、ステップＳ１１０，Ｓ１３２，Ｓ１３３のみを含む方法であってもよい。
【０１７５】
また、画像出力方法における各ステップの実行される順序は、本発明を具体的に説明するための一例であり、上記以外の順序であってもよい。また、画像出力方法におけるステップの一部と、他のステップとは、互いに独立して並列に実行されてもよい。
【０１７６】
なお、画像出力装置１０００の各構成要素の一部は典型的には集積回路であるＬＳＩ（Large Scale Integration）として実現されてもよい。例えば、位置検出部１１０および選択部１２０は、集積回路として実現されてもよい。
【０１７７】
なお、本発明は、その発明の範囲内において、実施の形態を適宜、変形、省略することが可能である。
【産業上の利用可能性】
【０１７８】
本発明は、画像出力装置が利用される地域に適した情報を提示することを可能とする画像出力装置として、利用することができる。
【符号の説明】
【０１７９】
２０  記憶メディア、１００  画像処理装置、１０１  画像読み出し部、１０２  表示部、１０３  音声出力部、１１０  位置検出部、１２０  選択部、１３０  記憶部、１４０  印刷データ作成部、２００−１，２００−２，２００−ｎ  プリンタ、３００  サーバ、１０００  画像出力装置。
【図１】
0005930768.tif 000002
【図２】
0005930768.tif 000003
【図３】
0005930768.tif 000004
【図４】
0005930768.tif 000005